【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】情報処理装置および方法、情報処理システム、並びに記録媒体
【手続補正２】
【補正対象書類名】明細書
【補正対象項目名】特許請求の範囲
【補正方法】変更
【補正の内容】
【特許請求の範囲】
【請求項１】
携帯可能な情報処理装置において、
ネットワークに接続される他の情報処理装置に自分自身の識別情報を送信する送信手段と、
前記ネットワークに接続される前記他の情報処理装置から、所定の機能を実行する上において必要な情報にアクセスするためのアクセス情報を受信する受信手段と、
前記受信手段が受信したアクセス情報に基づいて、アクセス処理を行い、前記所定の機能を実行する上において必要な情報を取得する取得手段と
を備えることを特徴とする情報処理装置。
【請求項２】
前記受信手段は、前記アクセス情報として、前記所定の機能の名称とその機能を実行するコンピュータプログラムの所在を示すURIを受信する
ことを特徴とする請求項１に記載の情報処理装置。
【請求項３】
携帯可能な情報処理装置の情報処理方法において、
ネットワークに接続される他の情報処理装置に自分自身の識別情報を送信する送信ステップと、
前記ネットワークに接続される前記他の情報処理装置から、所定の機能を実行する上において必要な情報にアクセスするためのアクセス情報を受信する受信ステップと、
前記受信ステップで受信したアクセス情報に基づいて、アクセス処理を行い、前記所定の機能を実行する上において必要な情報を取得する取得ステップと
を備えることを特徴とする情報処理方法。
【請求項４】
携帯可能な情報処理装置に使用されるコンピュータプログラムであって、
ネットワークに接続される他の情報処理装置に自分自身の識別情報を送信する送信ステップと、
前記ネットワークに接続される前記他の情報処理装置から、所定の機能を実行する上において必要な情報にアクセスするためのアクセス情報を受信する受信ステップと、
前記受信ステップで受信したアクセス情報に基づいて、アクセス処理を行い、前記所定の機能を実行する上において必要な情報を取得する取得ステップと
を備えるコンピュータプログラムが記録されていることを特徴とする記録媒体。
【請求項５】
ネットワークに接続される情報処理装置において、
携帯無線端末と情報を通信する通信手段と、
前記携帯無線端末から入力される識別情報に対応するサーバを検索する検索手段と、
前記検索手段により検索されたサーバにアクセスするアクセス手段と、
前記サーバから供給された情報を前記携帯無線端末に転送する転送手段と
を備えることを特徴とする情報処理装置。
【請求項６】
前記検索手段は、前記ネットワークに接続されている、前記携帯無線端末の識別情報に前記サーバへのアクセス方法を対応付けて管理しているディレクトリサーバを利用して前記サーバを検索し、
前記ディレクトリサーバは、前記情報処理装置から通知される前記携帯無線端末の識別情報を前記サーバに転送する
ことを特徴とする請求項５に記載の情報処理装置。
【請求項７】
ネットワークに接続される情報処理装置の情報処理方法において、
携帯無線端末と情報を通信する通信ステップと、
前記携帯無線端末から入力される識別情報に対応するサーバを検索する検索ステップと、
前記検索ステップで検索されたサーバにアクセスするアクセスステップと、
前記サーバから供給された情報を前記携帯無線端末に転送する転送ステップと
を備えることを特徴とする情報処理方法。
【請求項８】
ネットワークに接続される情報処理装置に使用されるコンピュータプログラムであって、
携帯無線端末と情報を通信する通信ステップと、
前記携帯無線端末から入力される識別情報に対応するサーバを検索する検索ステップと、
前記検索ステップで検索されたサーバにアクセスするアクセスステップと、
前記サーバから供給された情報を前記携帯無線端末に転送する転送ステップと
を備えるコンピュータプログラムが記録されていることを特徴とする記録媒体。
【請求項９】
ネットワークを介して携帯無線端末に情報を通信する情報処理装置において、
ユーザが前記携帯無線端末を介して実行する機能の名称と、前記機能を実行するのに必要な情報にアクセスするためのアクセス情報を保管する保管手段と、
前記保管手段が保管する情報を前記携帯無線端末に出力する出力手段と
を備えることを特徴とする情報処理装置。
【請求項１０】
前記保管手段が保管するアクセス情報はURIである
ことを特徴とする請求項９に記載の情報処理装置。
【請求項１１】
ネットワークを介して情報を通信する情報処理装置の情報処理方法において、
ユーザが前記携帯無線端末を介して実行する機能の名称と、前記機能を実行するのに必要な情報にアクセスするためのアクセス情報を保管する保管ステップと、
前記保管ステップで保管する情報を前記携帯無線端末に出力する出力ステップと
を備えることを特徴とする情報処理方法。
【請求項１２】
ネットワークを介して情報を通信する情報処理装置に使用されるコンピュータプログラムであって、
ユーザが前記携帯無線端末を介して実行する機能の名称と、前記機能を実行するのに必要な情報にアクセスするためのアクセス情報を保管する保管ステップと、
前記保管ステップで保管する情報を前記携帯無線端末に出力する出力ステップと
を備えるコンピュータプログラムが記録されていることを特徴とする記録媒体。
【請求項１３】
ネットワークを介して接続される携帯無線端末とサーバから構成される情報処理システムにおいて、
前記携帯無線端末から供給される識別情報に基づいて、対応する前記サーバを検索する検索手段と、
前記携帯無線端末が出力した情報を前記サーバに転送する転送手段と
を備えることを特徴とする情報処理システム。
【請求項１４】
前記識別情報は、ユーザに設定されているユーザIDである
ことを特徴とする請求項１３に記載の情報処理システム。
【請求項１５】
前記識別情報は、前記携帯無線端末に設定されている機器IDである
ことを特徴とする請求項１３に記載の情報処理システム。
【請求項１６】
前記検索手段は、前記ネットワークに常設されている
ことを特徴とする請求項１３に記載の情報処理システム。
【請求項１７】
前記検索手段は、前記携帯無線端末の要請に応じて前記ネットワークに接続される
ことを特徴とする請求項１３に記載の情報処理システム。
【手続補正３】
【補正対象書類名】明細書
【補正対象項目名】０００１
【補正方法】変更
【補正の内容】
【０００１】
【発明の属する技術分野】
本発明は、情報処理装置および方法、情報処理システム、並びに記録媒体に関し、特に、携帯無線端末がネットワークを介して接続された情報処理装置から供給されたコンピュータプログラムを実行する情報処理装置および方法、情報処理システム、並びに記録媒体に関する。
【手続補正４】
【補正対象書類名】明細書
【補正対象項目名】０００８
【補正方法】変更
【補正の内容】
【０００８】
請求項４に記載の記録媒体は、ネットワークに接続される他の情報処理装置に自分自身の識別情報を送信する送信ステップと、ネットワークに接続される他の情報処理装置から、所定の機能を実行する上において必要な情報にアクセスするためのアクセス情報を受信する受信ステップと、受信ステップで受信したアクセス情報に基づいて、アクセス処理を行い、所定の機能を実行する上において必要な情報を取得する取得ステップとを備えるコンピュータプログラムが記録されていることを特徴とする。
【手続補正５】
【補正対象書類名】明細書
【補正対象項目名】０００９
【補正方法】変更
【補正の内容】
【０００９】
請求項５に記載の情報処理装置は、携帯無線端末と情報を通信する通信手段と、携帯無線端末から入力される識別情報に対応するサーバを検索する検索手段と、検索手段により検索されたサーバにアクセスするアクセス手段と、サーバから供給された情報を携帯無線端末に転送する転送手段とを備えることを特徴とする。
【手続補正６】
【補正対象書類名】明細書
【補正対象項目名】００１０
【補正方法】変更
【補正の内容】
【００１０】
請求項７に記載の情報処理方法は、携帯無線端末と情報を通信する通信ステップと、携帯無線端末から入力される識別情報に対応するサーバを検索する検索ステップと、検索ステップで検索されたサーバにアクセスするアクセスステップと、サーバから供給された情報を携帯無線端末に転送する転送ステップとを備えることを特徴とする。
【手続補正７】
【補正対象書類名】明細書
【補正対象項目名】００１１
【補正方法】変更
【補正の内容】
【００１１】
請求項８に記載の記録媒体は、携帯無線端末と情報を通信する通信ステップと、携帯無線端末から入力される識別情報に対応するサーバを検索する検索ステップと、検索ステップで検索されたサーバにアクセスするアクセスステップと、サーバから供給された情報を携帯無線端末に転送する転送ステップとを備えるコンピュータプログラムが記録されていることを特徴とする。
【手続補正８】
【補正対象書類名】明細書
【補正対象項目名】００１４
【補正方法】変更
【補正の内容】
【００１４】
請求項１２に記載の記録媒体は、ユーザが携帯無線端末を介して実行する機能の名称と、機能を実行するのに必要な情報にアクセスするためのアクセス情報を保管する保管ステップと、保管ステップで保管する情報を携帯無線端末に出力する出力ステップとを備えるコンピュータプログラムが記録されていることを特徴とする。
【手続補正９】
【補正対象書類名】明細書
【補正対象項目名】００１５
【補正方法】変更
【補正の内容】
【００１５】
請求項１３に記載の情報処理システムは、携帯無線端末から供給される識別情報に基づいて、対応するサーバを検索する検索手段と、携帯無線端末が出力した情報をサーバに転送する転送手段とを備えることを特徴とする。
【手続補正１０】
【補正対象書類名】明細書
【補正対象項目名】００１６
【補正方法】変更
【補正の内容】
【００１６】
請求項１に記載の情報処理装置、請求項３に記載の情報処理方法、および請求項４に記載の記録媒体に記録されているコンピュータプログラムにおいては、ネットワークに接続される他の情報処理装置に自分自身の識別情報が送信され、ネットワークに接続される他の情報処理装置から、所定の機能を実行する上において必要な情報にアクセスするためのアクセス情報が受信される。さらに、受信したアクセス情報に基づいて、アクセス処理が行われ、所定の機能を実行する上において必要な情報が取得される。
【手続補正１１】
【補正対象書類名】明細書
【補正対象項目名】００１７
【補正方法】変更
【補正の内容】
【００１７】
請求項５に記載の情報処理装置、請求項７に記載の情報処理方法、および請求項８に記載の記録媒体に記録されているコンピュータプログラムにおいては、携帯無線端末と情報が通信され、携帯無線端末から入力される識別情報に対応するサーバが検索される。さらに、検索されたサーバにアクセスされ、サーバから供給された情報が携帯無線端末に転送される。
【手続補正１２】
【補正対象書類名】明細書
【補正対象項目名】００１８
【補正方法】変更
【補正の内容】
【００１８】
請求項９に記載の情報処理装置、請求項１１に記載の情報処理方法、および請求項１２に記載の記録媒体に記録されているコンピュータプログラムにおいては、ユーザが携帯無線端末を介して実行する機能の名称と、機能を実行するのに必要な情報にアクセスするためのアクセス情報が保管され、保管された情報が携帯無線端末に出力される。
【手続補正１３】
【補正対象書類名】明細書
【補正対象項目名】００１９
【補正方法】変更
【補正の内容】
【００１９】
請求項１３に記載の情報処理システムにおいては、検索手段が、携帯無線端末から供給される識別情報に基づいて、対応するサーバを検索し、転送手段が、携帯無線端末が出力した情報をサーバに転送する。
【手続補正１４】
【補正対象書類名】明細書
【補正対象項目名】００２２
【補正方法】変更
【補正の内容】
【００２２】
また、請求項５に記載の情報処理装置は、携帯無線端末と情報を通信する通信手段（例えば、図９のステップＳ１２）と、携帯無線端末から入力される識別情報に対応するサーバを検索する検索手段（例えば、図９のステップＳ１３）と、検索手段により検索されたサーバにアクセスするアクセス手段（例えば、図９のステップＳ１６）と、サーバから供給された情報を携帯無線端末に転送する転送手段（例えば、図９のステップＳ１８）とを備えることを特徴とする。
【手続補正１５】
【補正対象書類名】明細書
【補正対象項目名】００２４
【補正方法】変更
【補正の内容】
【００２４】
さらに、請求項１３に記載の情報処理システムは、携帯無線端末から供給される識別情報に基づいて、対応するサーバを検索する検索手段（例えば、図１０のステップＳ３２）と、携帯無線端末が出力した情報をサーバに転送する転送手段（例えば、図１０のステップＳ３３）とを備えることを特徴とする。
【手続補正１６】
【補正対象書類名】明細書
【補正対象項目名】００７２
【補正方法】変更
【補正の内容】
【００７２】
【発明の効果】
以上のように、本発明によれば、サーバが保管するコンピュータプログラム、およびデータベースを、携帯無線端末からの要請に応じて供給することが可能となる。